【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
電子写真画像形成装置本体に着脱可能なプロセスカートリッジにおいて、
電子写真感光体ドラムと、
前記電子写真感光体ドラムに形成された静電潜像を現像するための現像部材と、
前記現像部材によって、前記静電潜像の現像に用いられる現像剤を収納するための現像剤収納部を有する現像剤フレームと、ここで、前記現像剤フレームは、前記現像剤収納部に収納されている現像剤を前記現像部材の設けられている方向へ供給するための現像剤供給開口を有している、
前記現像剤供給開口と対向する接合部材開口を有して、前記現像フレームに取り付けられた接合部材と、
前記電子写真感光体ドラムを支持するドラムフレームと、
前記現像部材を支持する現像フレームであって、袋状の可撓性シールよって前記現像剤フレームと移動可能に結合されている現像フレームと、ここで、前記現像フレームは、前記現像剤供給開口を通過した現像剤を受け入れるための現像剤受け入れ開口を有している、そして、前記袋状の可撓性シールは、第一開口と第二開口を有している、そして、前記第一開口は、前記現像剤供給開口と前記接合部材開口と対向している、また、前記第二開口は、前記現像剤受け入れ開口と対向している、そして、前記可撓性シールは、前記第一開口の周囲を前記接合部材に貼り付けられている、また、前記第二開口の周囲を前記現像フレームに貼り付けられている、
を有することを特徴とするプロセスカートリッジ。
【請求項２】
前記可撓性シールは、前記第一開口と第二開口対向するように一枚のシートを折りたたんで形成されている請求項１に記載のプロセスカートリッジ。
【請求項３】
前記現像剤フレームには、前記現像剤供給開口を開封可能に封止するための現像剤シールが設けられている、そして、前記現像剤シールを前記現像剤フレームから剥がすことによって、前記現像剤供給開口が開封される、そして、前記現像剤収納部内に収納されている現像剤が前記現像部材の設けられている方向へ供給される、ここで、前記現像剤シールは、前記現像剤フレームと前記接合部材との間に配置されている、請求項１又は２に記載のプロセスカートリッジ。
【請求項４】
前記現像剤フレームは、その上面に取っ手を有している、ここで、前記上面は、前記プロセスカートリッジが前記装置本体に装着された際に、上方となる面である、また、前記取っ手は、前記プロセスカートリッジを運搬する際に操作者が把持するものである請求項１又は２に記載のプロセスカートリッジ。
【請求項５】
前記ドラムフレームは、露光開口を有している、ここで、前記露光開口は、前記プロセスカートリッジが前記装置本体に装着された際に、前記装置本体から前記電子写真感光体ドラムに照射する情報光を侵入させるためのものである請求項１又は２に記載のプロセスカートリッジ。
【請求項６】
現像フレームと現像剤フレームとを移動可能に結合するための結合方法において、ここで、前記現像フレームは、現像部材を支持するものであって、現像剤を受け入れるための現像剤受け入れ開口を有している、また、前記現像剤フレームは、現像剤を収納するための現像剤収納部と、前記現像剤収納部に収納されている現像剤を前記現像部材の設けられている方向へ供給するための現像剤供給開口を有している、また、前記可撓性シールは第一開口と第二開口とを有している、
（ａ）接着層と前記接着層を覆う剥離部材とを有する可撓性シールを保持治具に保持する保持工程と、
（ｂ）前記保持治具に保持された前記可撓性シールから前記剥離部材を剥離する剥離工程と、
（ｃ）前記剥離工程によって前記剥離部材が剥離された可撓性シールを、前記保持治具に保持した状態で、前記第一開口と接合部材の有する接合部材開口とが対向するように、及び、前記第二開口と現像剤受け入れ開口とが対向するように、前記可撓性シールを前記接合部材と、前記現像剤フレームとに位置決めする位置決め工程と、
（ｄ）前記可撓性シールの前記第一開口の周囲を前記接合部材に接着させる、及び、前記第二開口の周囲を前記現像フレームに接着させる第一接着工程と、
（ｅ）次いで、前記保持治具による前記可撓性シールの保持を解除する解除工程と、
（ｆ）次いで、前記可撓性シールを内側にして、前記現像剤フレームと前記接合部材とを対向させる対向工程と、
（ｇ）次いで、前記可撓性シールの合わせ面の周囲を互いに接着する第二接着工程と、
（ｈ）前記接合部材を前記現像剤フレームに接着する第三工程と、
を有することを特徴とする現像フレームと現像剤フレームの結合方法。
【請求項７】
前記保持工程における、前記保持治具による前記可撓性シートの保持は、空気吸引力、或いは、静電吸着力によって行われる請求項６に記載の現像フレームと現像剤フレームの結合方法。
【請求項８】
前記第一接着工程と第二接着工程は、インパルスシール法によって行われる、及び、前記第三接着工程は超音波溶着によって行われる請求項６又は７に記載の現像フレームと現像剤フレームの結合方法。
【請求項９】
前記可撓性シールは、前記現像剤フレームと前記接合部材とにインパルスシールによって取り付けられる請求項６から８の何れか１つに記載の現像フレームと現像剤フレームの結合方法。
【請求項１０】
現像剤フレームと現像フレームとを移動可能に結合するための可撓性シール部材において、ここで、前記現像フレームは、現像部材を支持するものであって、現像剤を受け入れるための現像剤受け入れ開口を有している、また、前記現像剤フレームは、現像剤を収納するための現像剤収納部と、前記現像剤収納部に収納されている現像剤を前記現像部材の設けられている方向へ供給するための現像剤供給開口を有している、
（ａ）前記現像剤フレームに取り付けられる接合部材と接着するための第一接着部と、
（ｂ）前記現像フレームと接着するための第二接着部と、
（ｃ）前記接合部材の有する接合部材開口と対向するための第一開口と、
（ｄ）前記現像剤受け入れ開口と対向するための第二開口と、
を有することを特徴とする可撓性シール部材。
【請求項１１】
前記可撓性シールは、単一層で形成されている請求項１０に記載の可撓性シール部材。
【手続補正２】
【補正対象書類名】明細書
【補正対象項目名】００１３
【補正方法】変更
【補正の内容】
【００１３】
本出願に係る第６の発明は、現像フレームと現像剤フレームとを移動可能に結合するための結合方法において、ここで、前記現像フレームは、現像部材を支持するものであって、現像剤を受け入れるための現像剤受け入れ開口を有している、また、前記現像剤フレームは、現像剤を収納するための現像剤収納部と、前記現像剤収納部に収納されている現像剤を前記現像部材の設けられている方向へ供給するための現像剤供給開口を有している、また、前記可撓性シールは第一開口と第二開口とを有している、
（ａ）接着層と前記接着層を覆う剥離部材とを有する可撓性シールを保持治具に保持する保持工程と、
（ｂ）前記保持治具に保持された前記可撓性シールから前記剥離部材を剥離する剥離工程と、
（ｃ）前記剥離工程によって前記剥離部材が剥離された可撓性シールを、前記保持治具に保持した状態で、前記第一開口と接合部材の有する接合部材開口とが対向するように、及び、前記第二開口と現像剤受け入れ開口とが対向するように、前記可撓性シールを前記接合部材と、前記現像剤フレームとに位置決めする位置決め工程と、
（ｄ）前記可撓性シールの前記第一開口の周囲を前記接合部材に接着させる、及び、前記第二開口の周囲を前記現像フレームに接着させる第一接着工程と、
（ｅ）次いで、前記保持治具による前記可撓性シールの保持を解除する解除工程と、
（ｆ）次いで、前記可撓性シールを内側にして、前記現像剤フレームと前記接合部材とを対向させる対向工程と、
（ｇ）次いで、前記可撓性シールの合わせ面の周囲を互いに接着する第二接着工程と、
（ｈ）前記接合部材を前記現像剤フレームに接着する第三工程と、
を有することを特徴とする現像フレームと現像剤フレームの結合方法である。


【手続補正３】
【補正対象書類名】明細書
【補正対象項目名】００１４
【補正方法】変更
【補正の内容】
【００１４】
本出願に係る第１０の発明は、現像剤フレームと現像フレームとを移動可能に結合するための可撓性シール部材において、ここで、前記現像フレームは、現像部材を支持するものであって、現像剤を受け入れるための現像剤受け入れ開口を有している、また、前記現像剤フレームは、現像剤を収納するための現像剤収納部と、前記現像剤収納部に収納されている現像剤を前記現像部材の設けられている方向へ供給するための現像剤供給開口を有している、
（ａ）前記現像剤フレームに取り付けられる接合部材と接着するための第一接着部と、
（ｂ）前記現像フレームと接着するための第二接着部と、
（ｃ）前記接合部材の有する接合部材開口と対向するための第一開口と、
（ｄ）前記現像剤受け入れ開口と対向するための第二開口と、
を有することを特徴とする可撓性シール部材である。